(57)【要約】【課題】  利用者の希望情報から提供され得るサービスに対する満足度が高いサービスを利用者に提供する。【解決手段】  本発明は、動画配信サービスに関連する情報パラメータの希望を入力し、入力された希望情報と既存サービスが保有するサービス情報とを利用して、利用者が該既存サービスに対して感じる満足度を推定し、各既存サービスに対して算出された前記満足度と各既存サービスに関連した情報を表示する。満足度は、利用者の希望を示す情報パラメータの値について、利用者の希望として数値化した評価値と、サービス毎に予め設定された情報パラメータの評価値との乖離の度合いから算出し、満足度に応じて利用者に提供するサービスの提示順序を変更する。【選択図】  図１
2013142935.tif 000002
【特許請求の範囲】
【請求項１】
利用者の希望に基づき動画配信サービスを提示する動画配信サービス検索装置であって、
動画配信サービスに関連する情報パラメータの希望を入力する情報パラメータ入力手段と、
前記情報パラメータ入力手段で入力された希望情報と既存サービスが保有するサービス情報とを利用して、利用者が既存サービスに対して感じる満足度を推定する満足度推定手段と、
各既存サービスに対して算出された前記満足度と各既存サービスに関連した情報を表示する動画サービス表示手段と、
を有することを特徴とする動画配信サービス検索装置。
【請求項２】
前記満足度推定手段は、
各既存サービスに対して、
各情報パラメータに対して希望する値もしくは項目を各情報パラメータに対する希望評価値に変換する評価値変換手段と、
各情報パラメータに対する希望評価値と既存サービスが保有する各情報パラメータのサービス評価値との差分を算出する評価値差分算出手段と、
前記各情報パラメータに対する希望評価値と前記サービス評価値との差分と各情報パラメータが保有する重みから前記既存サービスに対する利用者の満足度を算出する満足度算出手段と、
を有する請求項1記載の動画配信サービス検索装置。
【請求項３】
前記評価値変換手段は、
各事前情報パラメータに対して、希望する値もしくは項目と希望する値もしくは項目に対する希望評価値との関係を予め保有するデータベースから参照する、または、希望する値と希望評価値との関係を表す関係式を用いることにより、該希望する値もしくは該項目を希望評価値に変換する手段を含む
請求項２記載の動画配信サービス検索装置。
【請求項４】
前記満足度算出手段は、
前記評価値差分算出手段において算出した各情報パラメータの2つの評価値の差分について、差分の正負に応じて異なる重みを乗算する手段を含む
請求項２記載の動画配信サービス検索装置。
【請求項５】
前記満足度算出手段は、
前記希望評価値に応じて、前記評価差分算出手段において算出した２つの評価値の差分に、前記情報パラメータが保有する重みを乗算し、全情報パラメータに対する累計値を満足度として算出する手段を含む
請求項４記載の動画配信サービス検索装置。
【請求項６】
各事前パラメータに対して重みを変更するスライダもしくは重み付け選択項目をパラメータ入力画面に表示する手段を更に有し、
前記満足度算出手段は、
前記利用者が設定した希望重みを希望重み値に変換し、該希望重み値を前記全情報パラメータに対する累計値の算出前に乗算する手段を含む
請求項５記載の動画配信サービス検索装置。
【請求項７】
利用者の希望に基づき動画配信サービスを提示する動画配信サービス検索方法であって、
情報パラメータ入力手段が、動画配信サービスに関連する情報パラメータの希望を入力する情報パラメータ入力ステップと、
満足度推定手段が、前記情報パラメータ入力ステップで入力された希望情報と既存サービスが保有するサービス情報とを利用して、利用者が該既存サービスに対して感じる満足度を推定する満足度推定ステップと、
動画サービス表示手段が、各既存サービスに対して算出された前記満足度と各既存サービスに関連した情報を表示する動画サービス表示ステップと、
を行うことを特徴とする動画配信サービス検索方法。
【請求項８】
コンピュータを
請求項１乃至６のいずれか１項に記載の動作配信サービス検索装置の各手段として機能させるための動画配信サービス検索プログラム。
【発明の詳細な説明】
【技術分野】
【０００１】
本発明は、動画配信サービス検索装置及び方法及びプログラムに係り、特に、利用者が所望の配信対象映像を検索して提示するための動画配信サービス検索装置及び方法及びプログラムに関する。
【背景技術】
【０００２】
近年、高速無線LAN技術の登場によるモバイル端末へのデータ伝送速度の高速化により、スマートフォンを中心としたモバイル端末への動画配信サービスの普及が目覚しい。現存する映像配信サービスは多種にわたっており、料金やコンテンツ数など事前に提示される情報パラメータについて、利用者は所望の条件に基づいたサービス選択を望む。しかし、動画配信サービス毎に各情報パラメータの優劣は様々であり、多数の動画配信サービスを利用者が比較することは労力を要する。希望条件範囲を利用者が設定し、合致する動画配信サービスを提示する方法では、全ての項目が合致しなければ結果が出力されないため、限りなく希望に近いサービスが存在する場合であっても、利用者はその情報を得ることができない。そこで、入力条件に近い情報を定時する従来技術として、検索キーデータが入力された場合に、その検索キーデータが持つ複数の特徴量に対して、近い特徴量を持つデータを上位から順に提示する検索方法が開示されている。この方法によれば、データを動画配信サービス、特徴量を情報パラメータとしてそれぞれ扱うことで、希望条件に達しない動画配信サービスであっても希望条件に近い動画配信サービスも検索結果の対象となる（例えば、特許文献１参照）。
【先行技術文献】
【特許文献】
【０００３】
【特許文献１】特開２００１−１３４５８４号公報
【発明の概要】
【発明が解決しようとする課題】
【０００４】
しかしながら、上記従来の技術では、検索キーとして用いることのできる入力が既存データに限られており、利用者が希望する情報パラメータを個々に入力することができない。また、情報パラメータを特徴量として扱う場合に、類似度を判定する際に特徴量の差分でしか考慮されず、利用者の感覚的な差分が考慮されていない。例えば、希望コンテンツ数が１０００番組のときの９１０番組に対する感覚と、希望コンテンツ数が１００番組のときの１０番組に対する感覚は、同じ９０の差であっても大きく異なる。また、当該技術は、類似性判定のため、希望を上回るコンテンツ数を有する動画配信サービスは下位として扱われる。つまり、従来技術は、利用者が直接入力した詳細な希望条件に基づき、利用者が望む動画配信サービスを適切に提示する方法として適用することができない。
【０００５】
本発明は、上記の点に鑑みなされたもので、利用者の希望情報から提供され得るサービスに対する満足度が高いサービスを利用者に提供することが可能な動画配信サービス検索装置及び方法及びプログラムを提供することを目的とする。
【課題を解決するための手段】
【０００６】
上記の課題を解決するため、本発明（請求項１）は、利用者の希望に基づき動画配信サービスを提示する動画配信サービス検索装置であって、
動画配信サービスに関連する情報パラメータの希望を入力する情報パラメータ入力手段と、
前記情報パラメータ入力手段で入力された希望情報と既存サービスが保有するサービス情報とを利用して、利用者が既存サービスに対して感じる満足度を推定する満足度推定手段と、
各既存サービスに対して算出された前記満足度と各既存サービスに関連した情報を表示する動画サービス表示手段と、を有する
【発明の効果】
【０００７】
本発明によれば、利用者の希望に応じた動画配信サービスを選定することが可能となり、動画配信サービスの利用促進を促すことが可能である。また、各事前情報パラメータに対する設定値と利用開始判断割合との関係を取得できることから、適切な動画配信サービスの企画、設計が可能となる。
【図面の簡単な説明】
【０００８】
【図１】本発明の第1の実施の形態における動画配信サービス検索装置の構成図である。
【図２】本発明の第１の実施の形態における動画サービス検索ページのイメージ例である。
【図３】本発明の第1の実施の形態におけるサービス評価データベースの例である。
【図４】本発明の第1の実施の形態における検索結果ページのイメージの例である。
【図５】本発明の第２の実施の形態における動画配信サービス検索装置の構成図である。
【図６】本発明の第２の実施の形態における動画サービス検索ページのイメージの例である。
【図７】本発明の第２の実施の形態におけるサービス満足度データベースの例である。
【図８】本発明の第２の実施の形態における検索結果ページのイメージの例である。
【発明を実施するための形態】
【０００９】
以下図面と共に、本発明の実施の形態を説明する。
【００１０】
［第１の実施の形態］
本実施の形態では、月額料金やコンテンツ数のような利用者の希望を表す情報パラメータの値について評価値の尺度で表し、利用者の希望として数値化した各情報パラメータの評価値とサービスが保有する各情報パラメータの評価値との関係から、利用者の希望情報に対してどれだけ利用者が満足する動画配信サービスであるかを満足度として算出する。利用者に対して、各情報パラメータの値入力画面を提示する。利用者が入力した希望する情報パラメータの値に応じて評価値に変換され、この評価値と各動画配信サービスが保有する情報の評価値との感覚的な乖離度合いが自動的に推定され、当該乖離度合いに基づき、推定された満足度が大きいサービスから順番に利用者に提示する。
【００１１】
乖離度合いは、利用者が入力した各情報パラメータの値に基づき変換した評価値とサービスが保有する情報パラメータを評価値尺度に応じて数値に変換した値との差分として算出されたものである。そして、それぞれの差分（乖離度）に対して、各情報パラメータがサービス全体に与える影響の重みを乗算し累計することで満足度を推定する。このように、各情報パラメータの値毎の影響の大きさや情報パラメータ毎の影響の大きさを考慮して、サービスの乖離度合い、及び満足度を推定することにより、利用者の満足度を反映した動画配信サービス検索を可能とする。
【００１２】
本実施の形態では、本発明を、Webサイト内の検索ページとして適用する。また、本実施の形態では、利用者の希望を表す情報パラメータとして、月額料金、コンテンツ数、映像画質、再生遅延時間の４つを用いて、４つの情報パラメータに対して希望する値を利用者が入力し、各動画配信サービスの満足度とそのサービス情報が満足度の高い順に出力される。ただし、情報パラメータの組み合わせはこの４つに限定されるものではない。
【００１３】
図１は、本発明の第1の実施の形態における動画配信サービス検索装置の構成を示す。
【００１４】
同図に示す動画配信サービス検索装置１０は、検索ページ１００を介して入力される所望の情報パラメータの希望値及び希望重みを入力するパラメータ入力部１０１と、サンプル映像を視聴する映像視聴部１０２と、パラメータ入力部１０１から得られる情報パラメータの希望値に基づいて、各情報パラメータの値を希望評価値に変更する希望評価値算出部１０３と、利用者に提供され得る各動画サービスが保有する各情報パラメータのサービス評価値を格納するサービス評価値データベース１０４と、希望評価値算出部１０３及び希望評価値算出部１０３及びサービス評価値データベース１０４から得られた２つの評価値の差分を算出する差分算出部１０５と、各情報パラメータに対する重みを格納している情報パラメータ重み付けデータベース１０６と、パラメータ入力部１０１から得られる希望重みと差分算出部１０５から得られる各情報パラメータの差分と情報パラメータ重み付けデータベース１０６から得られる各情報パラメータの重みから満足度を算出する満足度算出部１０７と、満足度算出部１０７で得られた各動画サービスに対する満足度について検索結果ページ１０９を介して降順に結果を表示する出力インタフェース１０８と、を備える。
【００１５】
パラメータ入力部１０１では、検索装置の利用者が月額料金、コンテンツ数、映像のビットレート、再生遅延時間に対して希望値と重みを検索ページ１００を介して入力する。希望重みについては、各情報パラメータに対して検索ページ１００に表示されており、"１"を基準として最低の場合には"０"、最高の場合には"２"として重みを設定する。
【００１６】
図２に検索ページ１００にて表示されるイメージ図を示す。図２に示す動画サービス検索結果ページには、希望するパラメータ値として、月額料金、コンテンツ数、映像のビットレート、再生遅延時間に対する希望値、重要度を入力するための項目が表示される。重要度は、同図では、事前パラメータに対して、重みを変更するスライダが表示され、高⇔低の間で任意に設定可能である。また、映像のビットレートは、ビットレートの参考映像を512kbps，256kbps，128kbps，64kbpsの中から選択して視聴することが可能な設定となっている。なお、スライダ以外に、重みを選択する項目を表示してもよい。
【００１７】
パラメータ入力部１０１は、月額料金、コンテンツ数、映像のビットレート、再生遅延時間に対する希望値x1（月額料金），x2（コンテンツ数），x3（映像ビットレート），x4（再生遅延時間）を希望評価値算出部１０３及び出力インタフェース１０８に、月額料金、コンテンツ数、映像のビットレート、再生遅延時間に対する希望重みy1，y2，y3，y4を満足度算出部１０７及び出力インタフェース１０８にそれぞれ送信する。また、x1，x2，x3，x4が０以上の値でない場合には、希望評価値算出部１０３及び出力インタフェース１０８にエラー（error）を出力する。
【００１８】
映像視聴部１０２は、検索ページ１００内に設定された映像視聴部であり、異なるビットレートを持つ複数の映像が保存されている。利用者はビットレートの判断にあたり、映像視聴部１０２で提示されている映像を視聴し、希望する画質と再生速度を確認することができる。それぞれには、対応するビットレートが合わせて表示されている。利用者は視聴画質とビットレートとの関係から希望するビットレートを判断する。例えば、Windows（登録商標） Media Videoで符号化された512kbps，256kbps，128kbps，64kbpsの映像とそれぞれのビットレートを提示する。
【００１９】
希望評価値算出部１０３は、測定インタフェース部１０１で入力されたx1，x2，x3，x4を受信し、値の増加により評価が悪くなる情報パラメータ（月額料金、再生遅延時間）については、式（１）に基づき、値の増加により評価がよくなる情報パラメータ（コンテンツ数、映像のビットレート）については式（２）に基づき、各情報パラメータの希望評価値z1，z2，z3，z4を算出する。算出した希望評価値z1，z2，z3，z4は差分算出部１０５に送信される。ただし、x1（月額料金），x4（再生遅延時間）に０が入力された場合には、式（１）は用いずに、z1＝mi1 (ｉ=1，4)とし、エラーが入力された場合には処理を実施しない。
【００２０】
【数１】
2013142935.tif 000003
係数mi1，mi2，mi3は、事前に各情報パラメータの値に対する評価値をアンケートにより満足から不満足までの５段階評価で調査、取得し、情報パラメータと実際の評価値との関係を把握する。具体的には、各情報パラメータの値xiに対して全評価者から得られた５段階評価値について、最低評価を"０"、最高評価を"１"として評価結果を正規化した値の平均値を算出する。この、各情報パラメータの値xiを正規化した平均評価値をziとして、xiと共に式（１）あるいは式（２）に与え、非線形最小二乗法フィットにより計数mi1，mi2，mi3を算出する。値の増加により評価が悪くなる情報パラメータについては式（１）を、増加により評価がよくなる情報パラメータについては式（２）をそれぞれ使用する。
【００２１】
また、上述の方法を用いずに式（１）、（２）を用いる場合には、m11=0.697，m12=0.00284，m13=1.95，m21=0.925，m22=125，m23=0.548，m31=0.563，m32=64.5，m33=1.50，m41=0.851，m42=0.119，m43=0.935をそれぞれ用いてもよい。
【００２２】
サービス評価データベース１０４は、利用者に提供される動画配信サービスSj(1≦ｍ，ｍは対象となる動画サービス数）に対する情報パラメータのサービス評価値sj1，sj2，sj3，sj4とサービス名とURLを格納している。図３にサービス評価値データベース１０４のイメージを示す。サービス評価値データベース１０４は、差分算出部１０５からの指示に従い、検索対象の動画配信サービスに対応する各情報パラメータのサービス評価値sj1，sj2，sj3，sj4を差群算出部１０５にサービス名とURLを出力インタフェース１０８に、それぞれ出力する。検索対象となる動画配信サービスについてのサービス評価値sj1，sj2，sj3，sj4は、各動画配信サービスが提示している情報に基づき、式（１）、（２）により算出された値が用いられる。動画配信サービスによる提示情報から情報パラメータに対する評価値の判断が困難な場合には、実際にサービスを利用し映像を視聴することで評価値を設定する。あるいは、既に対象となる動画サービスを利用している利用者を対象に各情報パラメータに対する５段階評価値を実施してもらい、最低評価を"０"、最高評価を"１"として評価結果を正規化した値の平均値を設定する。
【００２３】
差分算出部１０５は、希望評価値算出部１０３から希望評価値z1，z2，z3，z4を受信した際に、サービス評価値データベース１０４に対して動画配信サービスsjに対するサービス評価値sj1，sj2，sj3，sj4を送信するように指示する。そして、受信した希望評価値z1，z2，z3，z4とサービス評価値sj1，sj2，sj3，sj4から各情報パラメータの差分値を算出し、各情報パラメータの差分値dj1，dj2，dj3，dj4（１≦ｊ≦ｍ）を満足度算出部１０７へ送信する。各差分値はdji＝sji−ziにより算出される。
【００２４】
情報パラメータ重み付けデータベース１０６は、各情報パラメータに対する重みw1，w2，w3，w4を保有している。これは、各情報パラメータに対する平均的な重みを示している。情報重み付けデータベース１０６は、満足度算出部１０７からの指示に従い、重みw1，w2，w3，w4を満足度算出部１０７に送信する。重みw1，w2，w3，w4は、各情報パラメータx1，x2，x3，x4について様々な値の組合せを用意し、各組み合わせで構成される動画配信サービスを提示したときに、その動画配信サービスに対して利用開始を判断する評価者の割合Ｐをアンケートにより取得し、各情報パラメータの値x1，x2，x3，x4を式（１）あるいは式（２）により評価値z1，z2，z3，z4に変更する。さらに、評価値z1，z2，z3，z4に対する利用開始判断割合Ｐのデータを、異なる情報パラメータの組合せを有する複数の動画配信サービスに対して取得する。複数の動画配信サービスに対する各設定条件におけるz1，z2，z3，z4とＰとの関係を重回帰分析することにより、Ｐをz1，z2，z3，z4の線形和で表す式を導出し、このときに、z1，z2，z3，z4に付随している係数をそれぞれ各情報パラメータに対する重みw1，w2，w3，w4とする。このとき、Ｐが重回帰分析のための利用開始判断の閾値の下限値Ｕ以上かつ上限値Ｖ以下である動画配信サービスに限定して重回帰分析による式を導出してもよい。ここでは、Ｕは0.05、Ｖは0.95とするが、これに限定されるものではない。上述の方法を用いない場合は、所定値としてw1=0.847，w2=0.973，w3=0.721，w4=0.212をそれぞれ用いても良い。
【００２５】
満足度算出部１０７では、測定インタエース部１０１から受信した希望重みy1，y2，y3，y4と差分算出部１０５から受信した各情報パラメータの差分値dj1，dj2，dj3，dj4（１≦ｊ≦ｍ）と情報パラメータ重み付けデータベース１０６から受信した重みw1，w2，w3，w4を用いて、式（３）に基づき各サービスｊに対する仮の満足度C'ｊ（１≦ｊ≦ｍ）を算出する。
【００２６】
【数２】
2013142935.tif 000004
更に、全サービスのうち満足度が最小であるサービス満足度C'minを用いて、満足度Cj(1≦ｊ≦ｍ)を式（４）により算出し、算出した満足度Cｊ(1≦ｊ≦ｍ)を出力インタフェース１０８に送信する。このとき、利用者の希望を全て満たすサービスではC＝100となり、最も満足度が低いサービスでは、C＝０となるように、値が正規化される。
【００２７】
【数３】
2013142935.tif 000005
出力インタフェース１０８では、測定インタフェース部１０１から入力された希望値x1，x2，x3，x4と希望重みy1，y2，y3，y4とサービス評価値データベース１０４から受信した各サービスのサービス名とＵＲＬと満足度算出部１０７から受信した各サービスの満足度Cｊ（１≦ｊ≦ｍ）に基づき、検索結果ページ１０９を介して結果を表示する。具体的には、x1，x2の満足度の右に対応するサービス名を表示し、リンク先が対象URLとなるようにする。検索結果ページ１０９のイメージを図４に示す。パラメータ入力部１０１からエラーが入力された場合には、「入力されている値に誤りがあります」といったメッセージを出力する。
【００２８】
［第２の実施の形態］
本実施の形態では、本発明を、Webサイト内の検索ページとして適用する。また、本実施の形態では、利用者の希望を表す情報パラメータとして、月額料金、コンテンツ数、映像画質、再生遅延時間の４つを用いて、４つのパラメータに対して希望する項目を利用者が入力し、各動画配信サービスの満足度とそのサービス情報が満足度の高い順に出力されるものとする。
【００２９】
図５は、本発明の第２の実施の形態における動画配信サービス検索装置の構成を示す。
【００３０】
同図に示す動画配信サービス検索装置２０は、検索ページ２００を介して入力される所望の情報パラメータの希望項目を、予め設定された選択項目から選定するパラメータ入力部２０１と、利用者に提供され得る各動画サービスについて選択項目の組合せに対する満足度を格納するサービス満足度データベース２０２と、サービス満足度データベース２０２から得られる各動画サービスに対する満足度について検索結果ページ２０４を介して降順に結果を表示する出力インタフェース２０３とを備える。
【００３１】
パラメータ入力部２０１では、検索装置の利用者が月額料金、コンテンツ数、映像画質、再生遅延時間に対する希望項目を検索ページ２００を介して入力する。選定は各事前パラメータに対して希望項目をプルダウンメニューにより選定する。選定する項目例として、
・月額料金：「１０５円」、「３１５円」、「５２５円」
・コンテンツ数：「少なくても良い」、「普通」、「多い」；
・映像画質：「とてもよい」、「よい」、「普通」；
・再生遅延時間：「とても早い」、「早い」、「普通」
とするが、これに限ったものではない。図６に検索ページ２００にて表記されるイメージを示す。パラメータ入力部２０１は、月額料金、コンテンツ数、映像のビットレート、再生遅延時間に対して選択された希望項目X1，X2，X3，X4をサービス満足度データベース２０２及び出力インタフェース２０３に出力する。
【００３２】
サービス満足度データベース２０２は、希望項目X1，X2，X3，X4の各組み合わせに対する利用者に提供され得る各動画配信サービスｊの満足度及び各動画配信サービスｊ（１≦ｊ≦ｍ）のサービス名及びＵＲＬが格納されており、パラメータ入力部２０１から得られた希望項目X1，X2，X3，X4の組合せに応じて満足度Cｊ（１≦ｊ≦ｍ）と各サービス名及びURLを出力インタフェース２０３へ送信する。サービス満足度データベース２０２のイメージを図７に示す。希望項目の組合せに対する満足度は、第１の実施の形態で示したサービス度評価値データベース１０４と同様の方法により取得したサービス評価値sj1，sj2，sj3，sj4（１≦ｊ≦ｍ）と希望項目Ｘ１，Ｘ２，Ｘ３，Ｘ４に対応する希望評価値z1，z2，z3，z4との差分値dj1，dj2，dj3，dj4（１≦ｊ≦ｍ）を算出し、第１の実施の形態で示した式（３）により各動画配信サービスｊ（１≦ｊ≦ｍ）の満足度Cｊ（１≦ｊ≦ｍ）を算出してサービス満足度データベース２０２に格納されているものとする。ここでは、情報パラメータに対する重みをw1=0.847，w2=0.973，w3=0.721，w4=0.212とするが、これに限ったものではない。希望項目X1，X2，X3，X4に前述のパラメータ入力部２０１の説明で示した３段階の項目を用いる場合には、それぞれ希望評価値z1，z2，z3，z4を0.8，0.5，0.2とするが、これに限ったものではない。３段階の項目の希望評価値z1，z2，z3，z4を0.8，0.5，0.2とするということは、例えば、z1（料金）の場合に、「１０５円」のときにz1=0.8、「３１５円」のときにz1=0.5、「５２５円」のときにz1=0.2とすることを示している。
【００３３】
出力インタフェース２０３では、第１の実施の形態で示した出力インタフェース１０３と同様の処理を実施し、検索結果ページ２０４に選択された希望項目X1，X2，X3，X4を表示し、満足度Cｊ（１≦ｊ≦ｍ）を降順に表示させると共に、それぞれの満足度の右に対応するサービスのサービス名を表示し、リンク先が対象URLとなるようにする。検索結果ページ２０４のイメージを図８に示す。
【００３４】
上記に説明したように、本発明によれば、利用者が所望の動画サービスに対する情報パラメータの希望を入力することで、各サービスに対する利用者の満足度を推定することが可能となるため、検索中に計算を必要とせず、早急に動画配信サービスの紹介が可能となると共に、動画配信サービスの選定の手間を利用者が省くことができる。
【００３５】
なお、上記の図１、図５に示す動画配信サービス検索装置の各構成要素の動作を動画配信サービス検索プログラムとして構築し、動画配信サービス検索装置として利用されるコンピュータにインストールして実行させる、または、ネットワークを介して流通させることが可能である。
【００３６】
本発明は、上記の実施の形態に限定されることなく、特許請求の範囲内において、種々変更・応用が可能である。
【符号の説明】
【００３７】
１０  動画配信サービス検索装置
１００  検索ページ
１０１  パラメータ入力部
１０２  映像視聴部
１０３  希望評価値算出部
１０４  サービス評価値データベース
１０５  差分算出部
１０６  情報パラメータ重み付けデータベース
１０７  満足度算出部
１０８  出力インタフェース
１０９  検索結果ページ
２００  検索ページ
２０１  パラメータ入力部
２０２  サービス満足度データベース
２０３  出力インタフェース
２０４  検索結果ページ
【図１】
2013142935.tif 000006
【図２】
2013142935.tif 000007
【図３】
2013142935.tif 000008
【図４】
2013142935.tif 000009
【図５】
2013142935.tif 000010
【図６】
2013142935.tif 000011
【図７】
2013142935.tif 000012
【図８】
2013142935.tif 000013